(57)【要約】【課題】ＣＯＤ値やＢＯＤ値が仮に高濃度であったとしても処理を行うことができる排水の処理方法及び処理機構を提供しようとするもの。【解決手段】この排水の処理方法は、汚染物質が混在する排水１をミスト状にして気流５を及ぼすことによりミスト中の水分を気化させるようにした。またこの排水の処理機構は、汚染物質が混在する排水１をミスト状にする手段２と、排水ミスト４に気流５を及ぼす手段３とを具備し、前記排水ミスト４に気流５を及ぼすことによりミスト中の水分を気化させるようにした。汚染物質が混在する排水ミストに気流を及ぼすことによりミスト中の水分を気化させるようにしたので、排水をミスト状にすることによりミスト粒子として気化効率を向上させ且つ気流により前記ミスト粒子の気化効率を更に向上させることができ、生物処理方式とは異なりＣＯＤ値やＢＯＤ値の多寡に左右されずに処理を行うことができる。【選択図】図１
2008296133.tif 000002
【特許請求の範囲】
【請求項１】
汚染物質が混在する排水（１）をミスト状にして気流（５）を及ぼすことによりミスト中の水分を気化させるようにしたことを特徴とする排水の処理方法。
【請求項２】
汚染物質が混在する排水（１）をミスト状にする手段（２）と、排水ミスト（４）に気流（５）を及ぼす手段（３）とを具備し、前記排水ミスト（４）に気流（５）を及ぼすことによりミスト中の水分を気化させるようにしたことを特徴とする排水の処理機構。
【請求項３】
前記排水ミスト（４）に対し上方乃至斜め上方に向けて気流（５）を及ぼすようにした請求項２記載の排水の処理機構。
【請求項４】
前記排水（１）をノズルから噴霧することによりミスト状にすると共に、前記ノズルのオリフィス内に変位が可能な可動部材を内在させるようにした請求項２又は３記載の排水の処理機構。
【請求項５】
前記排水（１）を電気分解してからミスト状にするようにした請求項２乃至４のいずれかに記載の排水の処理機構。
【発明の詳細な説明】
【技術分野】
【０００１】
この発明は、ＣＯＤ値やＢＯＤ値が高い排水に特に有効な排水の処理方法及び処理機構に関するものである。
【背景技術】
【０００２】
従来、食品工場その他の各種工場や酪農・養豚・養鶏などの畜産業、養殖漁業、遊戯施設、水族館から排出される産業廃水、鉄道車両や自動車車両、船舶、航空機などの洗浄に用いられた水や搭載水（例えば、冷却水や汚水やバランス／バラスト水）などの排水、ビル、一般家庭、宿泊施設、入浴施設、病院、飲食店、各種学校等の教育施設、運動施設などから排出される生活廃水の水質浄化を目的に設置される凝集処理と活性汚泥処理とを利用した排水処理プラントの運転管理方法が提案されていた（特許文献１参照）。
この提案には、次の内容が記載されている。
すなわち、従来から排水等に含まれている不純物の浄化を行うべく好気性微生物を利用した活性汚泥処理装置が普及している。活性汚泥処理装置は、曝気槽および沈殿槽などの固液分離手段から構成され、好気性微生物の代謝活動を利用し、主として排水等に含まれる有機物を分解処理するもので、有機物の一部はＣＯ２とＨ２Ｏに分解されるとともに、その一部は好気性微生物自身の代謝活動や自己増殖に使われる。
このような活性汚泥法で処理できるＣＯＤ値は高くて約５００ｐｐｍ程度以下までであり、これ以上のＣＯＤ値の場合は前工程で希釈しておく必要がある。例えば、排水のＣＯＤ値が約１０，０００ｐｐｍの場合は約２０倍に希釈してから活性汚泥処理を行う。
しかし、前記活性汚泥法では約１０，０００ｐｐｍ以下程度の排水までは希釈をすることによりある程度安定した処理が行えるというものの、１００，０００ｐｐｍとかそれ以上のＣＯＤ値の場合は２００倍希釈を行う必要があり、高濃度すぎて実際上処理が困難であるという問題があった。すなわちＣＯＤ値が１００，０００ｐｐｍの排水１００リットルを処理するためには全体が２０，０００リットルつまり２０トンになるまで希釈を行わなくてはならず、これではとても現実的とは言いがたい。
【特許文献１】特開２００７−６９１８２号公報
【発明の開示】
【発明が解決しようとする課題】
【０００３】
そこでこの発明は、ＣＯＤ値やＢＯＤ値が仮に高濃度であったとしても処理を行うことができる排水の処理方法及び処理機構を提供しようとするものである。
【課題を解決するための手段】
【０００４】
前記課題を解決するためこの発明では次のような技術的手段を講じている。
(１)〔Ａ〕この発明の排水の処理方法は、汚染物質が混在する排水をミスト状にして気流を及ぼすことによりミスト中の水分を気化させるようにしたことを特徴とする。
〔Ｂ〕この発明の排水の処理機構は、汚染物質が混在する排水をミスト状にする手段と、排水ミストに気流を及ぼす手段とを具備し、前記排水ミストに気流を及ぼすことによりミスト中の水分を気化させるようにしたことを特徴とする。
（２)この排水の処理方法・処理機構は、汚染物質が混在する排水ミストに気流を及ぼすことによりミスト中の水分を気化させるようにしたので、排水をミスト状にすることによりミスト粒子として気化効率を向上させ且つ気流により前記ミスト粒子の気化効率を更に向上させることができ、生物処理方式とは異なりＣＯＤ値やＢＯＤ値の多寡に左右されずに処理を行うことができる。
また排水ミストに気流を及ぼすようにしたことにより、処理雰囲気中の湿気を気流で強制的に排出して雰囲気湿度の経時的な漸増を抑制し、経時的に気化効率が低下してくることを回避することができるという利点がある。処理雰囲気の湿度は排水ミストの気化に大きな影響を及ぼす。
ここでミスト中の水分を気化させた際、及ぼした気流を例えばバグ・フィルターその他の各種フィルターや電気集塵機で捕集し、大気中に固体分を放散させないようにすることが好ましい。また、及ぼした気流をベルトコンベアに導いて分離した固体分をネットベルトに付着させて回収したり、及ぼした気流をサイクロン機構に供給して固体分を分離して回収することもできる。
前記排水として、梅調味加工排液（ＣＯＤが１０万ｐｐｍを越えることが多い）や焼酎の製造過程でできる焼酎滓などが例示できる。また、うどんを茹でる際の茹で汁や食べ残しのお汁、各種工場の化学排水などを例示することができる。前記排水が梅調味加工廃液の場合、汚染物質として例えば食塩や蜂蜜成分などが溶解している。蜂蜜成分は、ブドウ糖、果糖のほか各種ビタミン、ミネラル、アミノ酸等を含んでいる。前記ブドウ糖は常温常圧で白色の粉末状の結晶であり、前記果糖は白色の結晶である。
排水をミスト状にする手段として種々の方法を採用することができるが、排水をノズルでミスト状に噴射する方式や、超音波振動子を利用する方式、吸上げエジェクト方式、不織布等に含浸させて蒸発させる所謂濡れ壁方式などを例示することができる。また、排水に圧力をかけてオリフィスからミスト状に噴出させる方式や、鉄板などに激突させてミスト状に散布する方式、排水流にコンプレッサーでエアを吹き付けて細分化して分散させる方式などを採用することができる。
前記排水ミストの粒径はさまざまな排水の内容に応じて気化可能な範囲にあればよいが、２０μｍ以下、好適には１０μｍ程度に設定することができる。このような粒径とすると気流中でミスト粒子が凝集し難く液化し難い状況となり、ドライな状態として気化せしめることができる。
前記気流として例えば空気流を用いることができ、ブロワー等で発生させた空気流によって排水ミストを上流側から押したり、逆に下流側から引いたりすることができる。
(３)前記排水ミストに対し上方乃至斜め上方に向けて気流を及ぼすようにしてもよい。
このように構成すると、上方乃至斜め上方に向かう気流中の排水ミストは下向きの重力加速度を受けて流速が減速されることとなり、この減速された分処理雰囲気を形成するケーシングの端面に至るまでの滞留時間を長くとって水分の気化効率を向上させることができる。排水ミストがケーシングに当接すると、液戻りしてしまう傾向が高まってしまうのである。
すなわち、排水ミストが下方に向けて気流を及ぼされた場合にはミストの下降方向の流速が重力加速度によって加速されケーシングの下端面へ速く到達して液戻りし易いものとなるが、上方乃至斜め上方に向けて気流を及ぼすようにすると処理雰囲気中の滞留時間を大きくとってケーシングへの到達を遅らせることができ水分の気化効率に優れる。
また、前記のように上方乃至斜め上方に向かう気流中で排水ミストの流速が減速され処理雰囲気内の滞留時間を稼ぐことができるので、処理雰囲気の大きさ(特に高さ)を抑えて嵩低くすることができる。
(４)前記排水をノズルから噴霧することによりミスト状にすると共に、前記ノズルのオリフィス内に変位が可能な可動部材を内在させるようにしてもよい。
このように構成すると、排水中に小さな固形のゴミが混在していてオリフィスに挟まったとしても、可動部材が変位すること或いは変位させることにより前記ゴミを排出させることが出来る。ここで前記可動部材は、例えば軸心に沿って進退させたり軸心から揺動させたりする態様で変位させることが出来る。例えば前記可動部材を針状体とし、その前後端を膨大或いは屈曲乃至湾曲せしめてオリフィスからの抜け止め状態を担保させることができる。
(５)前記排水を電気分解してからミスト状にするようにしてもよい。このように構成すると、電解酸化により排水中の汚染物質のうちの幾らかの割合が二酸化炭素等に分解されてからミスト状とされるので、気流を及ぼした際の固体分の生成を削減することができる。電気分解するための電極として白金電極、セラミック電極等各種の電極を用いることができる。
(６)前記排水をミスト状にして気流を及ぼす処理雰囲気の温度が２０〜６０℃に、湿度が３０〜７０％となるように制御するようにしてもよい。このような常温で所定の湿度の条件下で処理すると排水ミストが液体に戻ることを抑制することができる。また、排水から分離された固形分を常温処理で変性させずに回収してその再利用を図ることができる。
前記排水をミスト状にする雰囲気の気流の温度が３０〜６０℃となるように制御してもよい。例えば、気流を及ぼす手段に温風を供給することができる。このように構成すると、処理雰囲気での液戻りを抑制することができる。また、降雨時などのように元々湿度が高い状況であっても液戻りを抑制して処理を行うことが可能となる。
前記排水自体を例えば４０〜８０℃程度に昇温させてからミスト状にするようにしてもよい。このように構成すると、排水ミストの気化を促進して固体分の分離効率を向上させることが出来る。
(７)前記排水ミストから固体分が分離されてから気化した水分を再び液化するようにしてもよい。このように構成すると、当初の汚染物質が混在する排水から固体分(汚染物質)が分離・低減されて清浄化された水を回収することができ、回収水の清浄度に応じた適切な用途への再利用が可能となる。
(８) 前記排水に可溶で且つ水よりも低沸点の溶剤を添加して処理するようにしたこととしてもよい。このように構成すると、排水の気化が促進されることにより固体分の分離効率が向上することとなる。排水に可溶で且つ水よりも低沸点の溶剤は少量添加するだけでも分離効率の向上が見られる。前記溶剤としてイソプロピルアルコール(ＩＰＡ)やエタノールなどを例示することができる。
この発明の排水の処理機構・処理方法はＣＯＤ値やＢＯＤ値が高濃度である排水に特に有用であるが、ＣＯＤ値が低濃度であるものに対しても好適に処理を行うことができる。
【発明の効果】
【０００５】
この発明は上述のような構成であり、次の効果を有する。
生物処理方式とは異なりＣＯＤ値やＢＯＤ値の多寡に左右されずに処理を行うことができるので、ＣＯＤ値等が仮に高濃度であったとしても処理を行うことができる排水処理方法及び処理機構を提供することができる。
【発明を実施するための最良の形態】
【０００６】
以下、この発明の実施の形態を説明する。
排水として梅調味加工排液を処理した。この梅調味加工廃液は、汚染物質として食塩や蜂蜜成分などが溶解している。蜂蜜成分はブドウ糖、果糖のほか各種ビタミン、ミネラル、アミノ酸等を含んでいる。前記ブドウ糖は常温常圧で白色の粉末状の結晶であり、前記果糖は白色の結晶である。また焼酎の製造過程でできる焼酎滓、うどんを茹でる際の茹で汁や食べ残しのお汁、各種工場の化学排水などの各種排水を処理できる。
【０００７】
(実施形態１)
図１に示すように、この排水の処理機構は、水溶性の汚染物質（食塩や蜂蜜成分等）が混在（溶解）する排水１（ＣＯＤ値が１２万ｐｐｍで食塩濃度が６〜７％の梅調味加工排液）をミスト状にする手段２
(エジェクタノズル)と、排水ミスト４に気流５(空気流)を及ぼす手段３ (ブロワー)とを具備し、前記排水ミスト４に気流５を及ぼすことによりミスト中の水分を気化させるようにしている。前記ブロワー３はモータＭによりファンを回転させる構造である。
そして、梅調味加工排液の排水ミスト４中の水分を気化させた際及ぼした気流５を隣接する回収ボックス６内へと導くようにしている。回収ボックス６内で、排水ミスト４を有する気流５は振動ネット７へと吹き付けられ、気化水分９が蒸発して分離された固体分８(食塩、蜂蜜成分のブドウ糖や果糖の結晶)は下方に落下させるようにしている。一方、排水ミスト４から蒸発した気化水分９は回収ボックス６の上方の排気口10から排出される。
排水１をミスト状にする手段２として種々の方法を採用することができるが、排水をエジェクト方式でミスト状に噴射する方式を用いた。他に超音波振動子を利用する方式、１流体式や２流体式のノズル方式、不織布等に含浸させて蒸発させる所謂濡れ壁方式などを例示することができる。また、鉄板などに激突させてミスト状に散布する方式、排水流にコンプレッサーでエアを吹き付けて細分化して分散させる方式などを採用することができる。
排水ミスト４には、ケーシング11内で気流５を及ぼすようにしている。前記ケーシング11は縦９０ｃｍ×横９０ｃｍ×高さ１８０ｃｍで四周に板材を有する直方体状の形状として、その下方にブロワー３の開口部を設け、ケーシング11の上方に気流５の排出口12を設けている。ブロワー３はケーシング11の上方に向けて気流５を噴出するような向きで設置し、そのすぐ上側にエジェクタノズル２を配設している。エジェクタノズル２からの噴出方向も上向きとしている。前記ケーシング11の下部は受け台13に固定している。なおケーシング11の形状は、直方体状の他に直径３０〜１００ｃｍなどの中空の円筒状その他として実施することもできる。
前記気流５として空気流を用い、ブロワー３で発生させた空気流によって、エジェクタノズル２から排水ミスト４を上に向けて押すようにしている。なお、逆に下流側からブロワーで引くこともできる。こうして、ブロワー３による気流中で前記排水１をエジェクタノズル２から噴霧することによりミスト状にした。前記排水ミスト４の粒径はさまざまな排水１の内容に応じて気流中で気化可能な範囲にあればよいが、１０μｍ程度となるようなエジェクタノズル(大阪市平野区長吉長原東のＧＥＳ社製を使用、他にスプレーイングシステムスジャパン社製やいけうち社製などのノズルを使用できる)を選択した。
このエジェクタノズル２ (ＧＥＳ社製)はＴ字管の横からコンプレッサー(図示せず)のエアを供給し、下側からポンプＰで排水１を供給してエジェクタ方式で上向きに噴出する構造としている。１０μｍ程度の粒径とすると気流５中でミスト粒子が凝集し難く液化し難い状況となり、ドライな状態として気化せしめることができる。
前記エジェクタノズル２のオリフィス(内径１.６ｍｍφ)内には、変位が可能な可動部材(外径１．０ｍｍφ)を内在(内装)させてある。前記可動部材(図示せず)は、軸心に沿って進退させたり軸心から揺動させたりする態様での変位が可能である。前記可動部材として具体的には針金状体が用いられ、その前後端が屈曲せしめられてオリフィスからの抜け止め状態が担保されている。
【０００８】
次に、この実施形態の排水の処理機構の使用状態を説明する。
この排水の処理方法は、汚染物質（食塩や蜂蜜成分等）が混在する排水１（梅調味加工排液）を粒径１０μｍ程度のミスト状にして空気流５を及ぼすことによりミスト中の水分を気化させるようにしている。
この排水の処理方法・処理機構によると、汚染物質（食塩や蜂蜜成分等）が混在(溶解)する排水ミスト４に気流５を及ぼすことにより各ミスト中の水分を気化させるようにしたので、排水１をミスト状にすることによって(1)ミスト粒子(蜂蜜成分のブドウ糖や果糖の結晶や食塩等が溶解している)として表面積を飛躍的に増大せしめて気化効率を向上させ、(2)且つ気化した水分を気流５により即座にミスト周囲から離脱せしめて前記ミスト粒子の気化効率を更に向上させることができ、生物処理方式とは異なりＣＯＤ値やＢＯＤ値の多寡に左右されずに処理を行うことができ、ＣＯＤ値等が仮に高濃度であったとしても処理を行うことができるという利点がある。また生物処理方式のような汚泥が出ず、排水１から乾燥した状態で固体分８を取り出すことができるという大きな利点がある。汚泥はかなり含水しており産業廃棄物としての扱いが非常に問題があるものである。
(3) さらに排水ミスト４に気流５を及ぼすようにしたことにより、処理雰囲気中の湿気を気流５で強制的に排出して雰囲気湿度の経時的な漸増を抑制し、経時的に気化効率が低下してくることを回避することができるという利点がある。処理雰囲気の湿度は排水ミスト４の気化に大きな影響を及ぼす。例えば前記排水１をミスト状にする雰囲気の湿度が７０％以下好ましくは６０％以下となるように気流５の量や温度を制御すると、排水１をミストにした場合の結露を抑制してミストが液体に戻ることを抑制しミストの気化効率を高めることができる。また、前記排水１をミスト状にする雰囲気の温度が４０〜９０℃となるようにヒーター等で制御(ケーシング11を加熱)すると、結露すなわち液戻りを抑制してミストの気化効率を高めることができる。なお、前記排水１を例えば４０〜８０℃程度に昇温させてからミスト状にすると、排水ミスト４の気化を促進して固体分８の分離効率を向上させることが出来る。
さらに、ミスト中の水分を気化させた際、及ぼした気流５を回収ボックス６内に導いて分離した固体分８を回収するようにしており、大気中に固体分８を放散させないクリーンな処理を行うことができる。
その上、前記エジェクタノズル２のオリフィス内に変位が可能な可動部材を内在させるようにしており、排水１中に小さな固形のゴミが混在していてオリフィスに挟まったとしても、可動部材が変位すること或いは変位させることにより前記ゴミを排出させることが出来るという利点がある。
上述のように処理することにより、ＣＯＤ値が１２万ｐｐｍで食塩濃度が６〜７％の梅調味加工排液１０ｋｇから、約２ｋｇ弱の固体分８(食塩、及び蜂蜜成分のブドウ糖や果糖の結晶と考えられる)が回収されることとなる。回収された固体分８は汚泥ではなく乾燥した状態であり、種々の用途に再利用されることが期待できる。例えば清浄雰囲気下で処理することにより、食品用途に再利用することが期待できる。
【０００９】
次に、前記実施形態１のより具体的な実施例を説明する。
〔実施例１〕
既述の直方体状のケーシング11内で梅調味加工排液をエジェクタノズル２から粒径１０μｍ程度のミスト状に噴霧し(９０ｃｃ／分)、これにブロワー３から気流５を及ぼすことにより排水ミスト４中の水分を気化させた。エジェクタノズル２には排水１を０．５０ｋｇ／ｃｍ２で供給し、エアを２ｋｇ／ｃｍ２で供給した。ケーシング11への入口風量は８２ｍ３／分、出口(回収ボックス６の吹き込み口14)風量は６３ｍ３／分であった。回収ボックス６の吹き込み口14で測定した湿度は６８％、温度は２４℃であった。その結果、ケーシング11内で噴霧した排水ミスト４は約９３％が気化した(ケーシング11内から約７％の排水１が採取された)。そして、回収ボックス６から固体分８が回収された。この固体分８を舐めるとしょっぱい味がしており、食塩が含まれていることが把握された。
〔実施例２〕
既述の直方体状のケーシング11内で梅調味加工排液をエジェクタノズル２から粒径１０μｍ程度のミスト状に噴霧し(８０ｃｃ／分)、これにブロワー３から気流５を及ぼすことにより排水ミスト４中の水分を気化させた。エジェクタノズル２には排水１を０．４５ｋｇ／ｃｍ２で供給し、エアを２ｋｇ／ｃｍ２で供給した。ケーシング11への入口風量は８１ｍ３／分、出口(回収ボックス６の吹き込み口14)風量は６２ｍ３／分であった。回収ボックス６の吹き込み口14で測定した湿度は６３％、温度は２４℃であった。その結果、ケーシング11内で噴霧した排水ミスト４は液戻りせずにほぼ全量が気化した(ケーシング11内には結露や排水１による液溜まりはなかった)。そして、回収ボックス６が回収された。この固体分８を舐めるとしょっぱい味がしており、食塩が含まれていることが把握された。
〔実施例３〕
既述の直方体状のケーシング11内で梅調味加工排液をエジェクタノズル２から粒径１０μｍ程度のミスト状に噴霧し(６４ｃｃ／分)、これにブロワー３から気流５を及ぼすことにより排水ミスト４中の水分を気化させた。エジェクタノズル２には排水１を０．４０ｋｇ／ｃｍ２で供給し、エアを２ｋｇ／ｃｍ２で供給した。ケーシング11への入口風量は４１ｍ３／分、出口(回収ボックス６の吹き込み口14)風量は３０ｍ３／分であった。回収ボックス６の吹き込み口14で測定した湿度は６９％、温度は２５℃であった。その結果、ケーシング11内で噴霧した排水ミスト４は液戻りせずにほぼ全量が気化した(ケーシング11内には結露や排水１による液溜まりはなかった)。そして、回収ボックス６から固体分８が回収された。この固体分８を舐めるとしょっぱい味がしており、食塩が含まれていることが把握された。
【００１０】
（実施形態２）
実施形態１と異なる点を説明する。
図２に示すように、この実施形態では、梅調味加工排液の排水ミスト４中の水分を気化させた際及ぼした気流５を隣接する回収ボックス６内へと導くようにしている。回収ボックス６内で、排水ミスト４を有する気流５はネットベルトを有し回転駆動されるベルトコンベア15へと吹き付けられ、気化水分９が蒸発して分離された固体分８(食塩、蜂蜜成分のブドウ糖や果糖の結晶)はベルトコンベア15を介して下方に落下させるようにしている。一方、排水ミスト４から蒸発した気化水分９は回収ボックス６の上方の排気口10から排出される。
【００１１】
（実施形態３）
実施形態１と異なる点を説明する。
この実施形態では、梅調味加工排液に可溶で且つ水よりも低沸点の溶剤を添加(排水１の約１〜２０％)して処理するようにしている。前記溶剤としてイソプロピルアルコール(ＩＰＡ)、エタノールをそれぞれ用いた。このようにすると、排水１の気化が促進されることにより固体分８の分離効率が向上するという利点がある。また、排水１に可溶で且つ水よりも低沸点の溶剤は少量添加するだけでも分離効率の向上が見られる。
【００１２】
（実施形態４）
実施形態１と異なる点を説明する。
この実施形態では、梅調味加工排液を電気分解(図示せず)してから、ミスト状にして気流５を及ぼすことによりミスト中の水分を気化させるようにした。このようにすると、電解酸化により排水１中の汚染物質のうちの幾らかの割合が二酸化炭素等に分解されてからミスト状とされるので、気流５を及ぼした際の固体分８の生成を削減することができる。なお、電気分解するための電極として白金電極、セラミック電極等各種の電極を用いることができる。
【００１３】
（実施形態５）
実施形態１と異なる点を説明する。
図３に示すように、この実施形態では及ぼした気流５をサイクロン機構16に供給して固体分８を分離して回収するようにしている。
このサイクロン機構16では、上方の吹き込み口14から気流５を内周面に沿って回転するように吹き込むようにしている。前記気流５はサイクロン機構の上方から内周面に沿って下方へ向かう旋回流17を形成し、その中心域から上方へと向かう上昇流18となり上端の排気口10から気化分が排出される。サイクロン機構16の下方には排水ミスト４から水分が蒸発した固形分８(食塩や蜂蜜に含まれるブドウ糖や果糖の結晶粉末)が分離されて落下し回収される。
このように、汚染物質（蜂蜜成分等）を含有(溶解)する排水ミスト４を含む気流５をサイクロン機構の旋回流中で気化させつつ分離した固体分８は下方に移行させ、気化分は上方から排出させることができる。ここで、固体分８が分離される態様として、上記のように排水ミスト４中に溶解していた汚染成分（蜂蜜成分等）が気化に伴って析出する場合の他に、排水ミスト４中に混在していた微小固体が気化に伴って分離される場合を例示できる。
なお、サイクロン機構の上端の排気口10から排出する気化分に臭気がある場合は、上端面に空気清浄用電解水注入口(図示せず)を形成して旋回流中に電解水を上から噴霧するようにしてもよい。
【００１４】
（実施形態６）
実施形態１と異なる点を説明する。
図４に示すように、この実施形態では、汚染物質が混在する排水１をミスト状にして気流５を及ぼすことによりミスト中の水分を気化させるようにし、これをコンテナ型とした回収ボックス６に供給するようにしている。この回収ボックス６内では３枚の回収ネット19により気流５から固体分８を回収するようにしており、また２枚の邪魔板20により排水ミスト４が排出される方向に移行することを抑制している。回収ボックス６の後端の排気口10ではモータＭによりファンＦを外方に向けて駆動し蒸発した気化水分９を排出している。
このコンテナ型の回収ボックス６は、ケーシング11から送り出される気流５が一定時間滞留させる容積に設定していてバッファのような作用を有しており、この滞留している間に排水ミスト４から水分が蒸発して固体分８が分離されボックス内に落下・回収されることとなる。
この実施形態では、複雑な機構を設けることなしにシンプルな構造で固体分８を回収することができるという利点がある。
【産業上の利用可能性】
【００１５】
ＣＯＤ値やＢＯＤ値が仮に高濃度であったとしても処理を行うことができることによって、種々の排水処理の用途に適用することができる。また、この排水の処理機構・処理方法はＣＯＤ値やＢＯＤ値が高濃度である排水に特に有用であるが、ＣＯＤ値が低濃度であるものに対しても好適に処理を行うことができる。
さらに、この排水の処理機構・処理方法は、例えば排水が梅加工調味廃液の場合これ含有される固形分として食塩や蜂蜜に含まれるブドウ糖や果糖の結晶粉末を分離回収することができる。すなわち、固形分(食塩や蜂蜜に含まれるブドウ糖や果糖の結晶粉末)の回収機構・方法として適用することができる。
【図面の簡単な説明】
【００１６】
【図１】この発明の排水の処理機構の実施形態１を説明する図。
【図２】この発明の排水の処理機構の実施形態２を説明する図。
【図３】この発明の排水の処理機構の実施形態５を説明する図。
【図４】この発明の排水の処理機構の実施形態６を説明する図。
【符号の説明】
【００１７】
１  排水
２  ミスト状にする手段
３  気流を及ぼす手段
４  排水ミスト
５  気流
【図１】
2008296133.tif 000003
【図２】
2008296133.tif 000004
【図３】
2008296133.tif 000005
【図４】
2008296133.tif 000006